(57)【特許請求の範囲】
【請求項１】
柱と梁で区画される開口部分に構築される耐震壁であって、
八角形状で形成され、斜辺同士が向かい合う配列で上記開口部分に縦横方向に配設されかつ向かい合う当該斜辺同士が互いに接合されて、縦辺および横辺で取り囲んだ開口を形成し、かつ、上記柱や上記梁に対し、縦辺や横辺が接合されるプレキャストコンクリート製八角形ブロックと、
該八角形ブロックの斜辺と上記柱や上記梁との間の隙間にこれを封止すべく配設され、これらに接合されるプレキャストコンクリート製封止ブロックとを備えたことを特徴とする耐震壁。
【請求項２】
前記八角形ブロック同士、該八角形ブロックと前記封止ブロック、該八角形ブロックと前記柱や前記梁、該封止ブロックと該柱や該梁は、それぞれ互いに接着材で接合されることを特徴とする請求項１に記載の耐震壁。
【請求項３】
前記封止ブロックは、前記八角形ブロックの斜辺の長さに合致する長さの斜辺と、該八角形ブロックの縦辺や横辺の長さに合致する長さの頂辺を備える等脚台形状ブロックを含むことを特徴とする請求項１または２に記載の耐震壁。
【請求項４】
前記八角形ブロックは、斜辺の長さが縦辺や横辺の長さよりも長く形成されることを特徴とする請求項１〜３いずれかの項に記載の耐震壁。
【請求項５】
前記八角形ブロックおよび前記封止ブロックは、強度の高いコンクリートで形成されることを特徴とする請求項１〜４いずれかの項に記載の耐震壁。
【請求項６】
前記八角形ブロックは、中央部に孔を有することを特徴とする請求項１〜５いずれかの項に記載の耐震壁。
【請求項７】
前記八角形ブロックは、中央部が薄肉に形成されるとともに、中央部を取り囲む外周部が厚肉に形成されることを特徴とする請求項１〜５いずれかの項に記載の耐震壁。
【請求項８】
柱と梁で区画される開口部分に耐震壁を構築する方法であって、
請求項１に記載のプレキャストコンクリート製八角形ブロックおよびプレキャストコンクリート製封止ブロックを用い、
上記開口部分にその内周に沿って適宜に、上記封止ブロックを配設し、かつ該開口部分に縦横に、上記八角形ブロックを配設していき、互いに対面し合う該八角形ブロックの斜辺同士や、該八角形ブロックおよび該封止ブロック相互、これらブロックと上記柱および上記梁とを接着材で接合していくことを特徴とする耐震壁の構築方法。
【発明の詳細な説明】
【技術分野】
【０００１】
本発明は、ブロックの強度を確保しつつ、合理的に採光や通風を確保することが可能であるとともに、居ながらで施工することが可能な耐震壁およびその構築方法に関する。
【背景技術】
【０００２】
柱と梁で区画される開口部分に、プレキャストコンクリート製のブロックを配置して構築される耐震壁としては、例えば特許文献１が知られている。特許文献１では、おおよそ、外周に外向きの凹溝が形成され全体として四辺形をなす耐震ブロックと、これを半分にして三角形をなす山形ブロックとを多数用意し、建物の柱と梁に囲まれた構面に、前記耐震ブロックの２本の対角線を上下方向と左右方向とに個別に向けた姿勢で、且つ隣り合う耐震ブロックどうしの各一辺を対向させることにより両耐震ブロックの凹溝どうしによって補強筋を収容する空間を作りながら、前記多数の耐震ブロックと山形ブロックとを建て込むとともに、前記凹溝どうしにより形成される空間にコンクリートモルタル等の固結材を充填して、この固結材と前記露出した補強筋とを介して隣接する各耐震ブロックどうしを連結することにより前記構面の耐震性を強化するようにしている。
【０００３】
耐震ブロックは、Ｖ字状を含み、三角形をなす場合や多角形である場合もある。耐震ブロックには、外周の前記凹溝を形成した部分を枠状に残してその中央部に表裏貫通する窓状孔が形成される。これら耐震ブロック等が配設される全体で枠状をなす左右の柱と上下の梁との内側には外端フレームが設けられる。この外端フレームは、各柱と各梁に、これらの長手方向に沿って２列をなして植設されるアンカー筋と、前記長手方向に延在して設置される主筋と、これらを連結する帯筋と、これらの鉄筋を被覆するように打設される現場打ちコンクリートとからなる。コンクリートは少なくとも柱及び梁に近接した位置の各ブロックが建て込まれた後に打設される。さらに、窓状孔については、柱と梁とに囲まれた構面が開放的な印象を受けるばかりか、気流及び光を通過させることができる。
【特許文献１】特開平９−２２８６５３号公報
【発明の開示】
【発明が解決しようとする課題】
【０００４】
ところで、従来の耐震壁にあっては、柱と梁で区画される開口部分が耐震壁で封鎖されることに対して、採光や通風を確保するにあたり、ブロック自体に窓状孔を形成するようにしていた。このようにブロックに窓状孔を形成すると、ブロック自体の強度低下が懸念されるという課題があった。また、開口部分に組まれたブロックを柱や梁に接合する構成として、アンカー筋などの各種鉄筋を配筋した上で現場打ちコンクリートを打設して外端フレームを構築するようにしていて、特に既設の柱・梁架構に耐震壁を増設する場合など、アンカー筋を既設の柱や梁に定着させるアンカー施工が必要であって、居住者の移転を伴わずに居ながらの施工を行うことができないという課題があった。
【０００５】
本発明は上記従来の課題に鑑みて創案されたものであって、ブロックの強度を確保しつつ、合理的に採光や通風を確保することが可能であるとともに、居ながらで施工することが可能な耐震壁およびその構築方法を提供することを目的とする。
【課題を解決するための手段】
【０００６】
本発明にかかる耐震壁は、柱と梁で区画される開口部分に構築される耐震壁であって、八角形状で形成され、斜辺同士が向かい合う配列で上記開口部分に縦横方向に配設されかつ向かい合う当該斜辺同士が互いに接合されて、縦辺および横辺で取り囲んだ開口を形成し、かつ、上記柱や上記梁に対し、縦辺や横辺が接合されるプレキャストコンクリート製八角形ブロックと、該八角形ブロックの斜辺と上記柱や上記梁との間の隙間にこれを封止すべく配設され、これらに接合されるプレキャストコンクリート製封止ブロックとを備えたことを特徴とする。
【０００７】
前記八角形ブロック同士、該八角形ブロックと前記封止ブロック、該八角形ブロックと前記柱や前記梁、該封止ブロックと該柱や該梁は、それぞれ互いに接着材で接合されることを特徴とする。
【０００８】
前記封止ブロックは、前記八角形ブロックの斜辺の長さに合致する長さの斜辺と、該八角形ブロックの縦辺や横辺の長さに合致する長さの頂辺を備える等脚台形状ブロックを含むことを特徴とする。
【０００９】
前記八角形ブロックは、斜辺の長さが縦辺や横辺の長さよりも長く形成されることを特徴とする。
【００１０】
前記八角形ブロックおよび前記封止ブロックは、強度の高いコンクリートで形成されることを特徴とする。
【００１１】
前記八角形ブロックは、中央部に孔を有することを特徴とする。
【００１２】
前記八角形ブロックは、中央部が薄肉に形成されるとともに、中央部を取り囲む外周部が厚肉に形成されることを特徴とする。
【００１３】
本発明にかかる耐震壁の構築方法は、柱と梁で区画される開口部分に耐震壁を構築する方法であって、前記プレキャストコンクリート製八角形ブロックおよびプレキャストコンクリート製封止ブロックを用い、上記開口部分にその内周に沿って適宜に、上記封止ブロックを配設し、かつ該開口部分に縦横に、上記八角形ブロックを配設していき、互いに対面し合う該八角形ブロックの斜辺同士や、該八角形ブロックおよび該封止ブロック相互、これらブロックと上記柱および上記梁とを接着材で接合していくことを特徴とする。
【発明の効果】
【００１４】
本発明にかかる耐震壁およびその構築方法にあっては、ブロックの強度を確保しつつ、合理的に採光や通風を確保することができるとともに、居ながらで施工することができる。
【発明を実施するための最良の形態】
【００１５】
以下に、本発明にかかる耐震壁およびその構築方法の好適な実施形態を、添付図面を参照して詳細に説明する。第１実施形態にかかる耐震壁１は基本的には、図１から図３に示すように、柱２と梁３で区画される開口部分４に構築される耐震壁１であって、八角形状で形成され、斜辺ｗ同士が向かい合う配列で開口部分４に縦横方向に配設されかつ向かい合う当該斜辺ｗ同士が互いに接合されて、縦辺ｙおよび横辺ｘで取り囲んだ開口Ｓを形成し、かつ、柱２や梁３に対し、縦辺ｙや横辺ｘが接合されるプレキャストコンクリート製八角形ブロック５と、八角形ブロック５の斜辺ｗと柱２や梁３との間の隙間にこれを封止すべく配設され、これらに接合されるプレキャストコンクリート製封止ブロック６，７とを備えて構成される。
【００１６】
柱２と梁３で構成される柱・梁架構には、左右一対の柱２と上下一対の梁３で区画して、矩形状の開口部分４が形成される。この開口部分４に耐震壁１が構築される。本実施形態にあっては、耐震壁１は、開口部分４に積み上げられる八角形ブロック５と、これら八角形ブロック５と柱２や梁３の間に生ずる隙間を封止する封止ブロック６，７とから構成される。八角形ブロック５は厚さが一定であって、その外形輪郭は図２に示すように、向かい合う縦辺ｙ同士が互いに平行かつ同一長さ寸法であり、向かい合う横辺ｘ同士も互いに平行かつ同一長さ寸法であり、さらに縦辺ｙと横辺ｘとを結ぶ４つの斜辺ｗがすべて同一長さ寸法であって互いに向かい合うもの同士が平行に形成される。縦辺ｙと横辺ｘの長さは同じにしても、異ならせても良い。
【００１７】
また封止ブロック６，７としては、八角形ブロック５の厚さに合致する一定の厚さであって、外形輪郭が三角形状のブロック７と、等脚台形状のブロック６が用いられる。等脚台形状ブロック６は図３に示すように、長さの短い頂辺ｔｘｙが八角形ブロック５の縦辺ｙや横辺ｘの長さに合致する長さ寸法であって、斜辺ｔｗが八角形ブロックの斜辺ｗの長さに合致する長さ寸法であって、長さの長い底辺ｔｂが八角形ブロック５の縦辺ｙ間や横辺ｘ間の長さ寸法に合致する長さ寸法で形成される。さらに三角形状ブロック７は、直角な頂角と対向する底辺ｒｂが八角形ブロック５の斜辺ｗの長さに合致する長さ寸法の直角三角形で形成される。図示例にあっては、これらブロック５〜７のうち、最も大きな八角形ブロック５の外形寸法が例えば、５００ｍｍ程度とされる。これ以外の外形寸法であってもよいことは、もちろんである。またこれらブロック５〜７はいずれも、プレキャストコンクリート製とされる。
【００１８】
これらブロック５〜７は、強度の高いコンクリートで形成することが好ましく、例えば、鋼繊維やガラス繊維などの補強繊維材を混入した繊維補強セメントや繊維補強モルタル、繊維補強コンクリートによって形成される。これにより、鉄筋を埋設することなく、従って軽量であってかつ高強度のブロック５〜７を形成することができる。
【００１９】
八角形ブロック５は、開口部分４の上下方向および左右方向に縦横に配設される。この際、隣接する八角形ブロック５同士は必ず、斜辺ｗ同士が向かい合う配列とされる。すなわち、図１に示したように、いずれか１つの八角形ブロック５を例に取ると、４つある斜辺ｗそれぞれに、４つの八角形ブロック５それぞれのいずれか１つの斜辺ｗが向かい合うように配列される。これにより、八角形ブロック５の右側および左側それぞれに、縦辺ｙの長さ寸法の間隔を隔てて八角形ブロック５が２つずつ配列される。この配列はまた、八角形ブロック５の上側および下側それぞれに、横辺ｘの長さ寸法の間隔を隔てて八角形ブロック５が２つずつ位置する関係にもなる。そして互いに間隔を隔てる八角形ブロック５相互の関係では、横辺ｘ同士や縦辺ｙ同士が向かい合う位置関係となる。
【００２０】
これにより、いずれかの１つの八角形ブロック５の周りには、他の４つの八角形ブロック５によって、これら八角形ブロック５の縦辺ｙや横辺ｘで取り囲まれる開口Ｓが形成される。開口Ｓから周りの八角形ブロック５を見ると、当該開口Ｓは、その周りに配列される４つの八角形ブロック５の縦辺ｙおよび横辺ｘで取り囲んで矩形状に形成される。
【００２１】
また、この八角形ブロック５のうち、柱２や梁３に接する部分の八角形ブロック５は、それらの縦辺ｙや横辺ｘが柱面２ａや梁面３ａに向かい合うように配設される。そのため、八角形ブロック５の斜辺ｗは柱面２ａや梁面３ａに当接し得ないため、八角形ブロック５の斜辺ｗと柱面２ａや梁面３ａとの間には、隙間が生じる。これら隙間には、封止ブロック６，７が配設される。開口部分４の隅角部と八角形ブロック５の斜辺ｗとの間の三角形状の隙間には、これを封止すべく、合致する形状の三角形状ブロック７が配設される。他方、縦方向や横方向に対をなす八角形ブロック５の斜辺ｗ間と柱面２ａや梁面３ａとの間の隙間には、これを封止すべく、等脚台形状ブロック６が配設される。等脚台形状ブロック６は、それらの斜辺ｔｗが八角形ブロック５の斜辺ｗに向かい合い、底辺ｔｂが柱面２ａや梁面３ａに向かい合う配置で配設され、これにより頂辺ｔｘｙが八角形ブロック５の縦辺ｙや横辺ｘとの組み合わせで取り囲んで開口Ｓを形成する。
【００２２】
隣接する八角形ブロック５同士は、それらの斜辺ｗが互いに接着材で接着されて、接合される。このように八角形ブロック５は斜辺ｗが他の八角形ブロック５との接合部になり、そしてまた応力伝達部になることから、接着材による接合強度を高く確保し、かつ、ブロック５自体の耐力や耐震壁１としての構造強度を高く確保するために、縦辺ｙや横辺ｘの長さに対し、斜辺ｗの長さを長く形成することが好ましい。しかしながら、斜辺ｗを長く形成すると、開口Ｓの大きさが小さくなるので、開口Ｓの大きさとのバランスを考慮して、斜辺ｗの長さを設定することが望まれる。
【００２３】
八角形ブロック５と等脚台形状ブロック６も、それらの斜辺ｗ，ｔｗが互いに接着材で接着されて、接合される。八角形ブロック５と三角形状ブロック７は、斜辺ｗと底辺ｒｂとが互いに接着材で接着されて、接合される。また、柱面２ａや梁面３ａに対する八角形ブロック５の接合は、それらの縦辺ｙや横辺ｘを接着材で接着することで行われる。柱面２ａや梁面３ａに対する等脚台形状ブロック６の接合は、それらの底辺ｔｂを接着材で接着することで行われる。さらに、柱面２ａや梁面３ａに対する三角形状ブロック７の接合は、それらの斜辺ｒｗを接着材で接着することで行われる。
【００２４】
第１実施形態にかかる耐震壁１の構築方法は、開口部分４にその内周に沿って適宜に封止ブロック６，７を配設していく工程と、開口部分４に縦横に、八角形ブロック５を配設していく工程と、互いに対面し合う八角形ブロック５の斜辺ｗ同士や、八角形ブロック５および封止ブロック６，７相互、これらブロック５〜７と柱面２ａおよび梁面３ａとを接着材で接合していく工程とを備える。要するに、開口部分４に行き渡るようにブロック５〜７を配設していく手順と、ブロック５〜７同士およびこれらブロック５〜７と柱２および梁３とを接着材で接合する手順を適宜タイミングで行って、ブロック５〜７で開口部分４に壁１を構築すればよい。殊に、八角形ブロック５の縦辺ｙや横辺ｘ、斜辺ｗの寸法に合わせて封止ブロック６，７を形成しているので、例えば、開口部分４下部の隅角部に三角形状ブロック７を配置した上で、等脚台形状ブロック６を、八角形ブロック５の横辺ｘの長さ寸法の間隔を隔てて開口部分４の下部に配列すれば、これら封止ブロック６，７を定規として順次八角形状ブロック５を縦横方向に容易かつ適切に配列していくことができる。
【００２５】
以上説明した第１実施形態にかかる耐震壁１およびその構築方法にあっては、八角形状で形成され、斜辺ｗ同士が向かい合う配列で開口部分４に縦横方向に配設されかつ向かい合う当該斜辺ｗ同士が互いに接合されて、縦辺ｙおよび横辺ｘで取り囲んだ開口Ｓを形成する八角形ブロック５を主体とするので、従来のようにブロック自体に窓状孔などを形成するのとは異なり、単体として形作られた八角形ブロック５同士の組み合わせによって、八角形ブロック５そのものの強度は高く確保しつつ、採光や通風を確保する開口Ｓを合理的に耐震壁１内に形成することができる。そしてこの開口Ｓの配列により、耐震壁１のデザイン性も向上することができる。
【００２６】
また、八角形ブロック５自体の強度を高く確保できるとともに、八角形ブロック５と封止ブロック６，７の積み上げで堅固な耐震壁１が構築されるため、開口部分４周りや開口部分４内部に、そしてまたブロック５〜７自体にも、相互を連結しつつ補強する鉄筋などを配筋する必要がなく、従って、八角形ブロック５の斜辺ｗ同士、八角形ブロック５と封止ブロック６，７、八角形ブロック５および封止ブロック６，７と柱２および梁３とを、接着材で接着する接合作業で耐震壁１を構築することができる。このように接着材による接合で耐震壁１が構築されるので、騒音や振動、粉塵発生がなく、居ながらで耐震壁１を施工することができる。
【００２７】
また、八角形ブロック５の斜辺ｗの長さを縦辺ｙや横辺ｘの長さよりも長く形成することで、採光や通風を確保しつつ、ブロック５自体の耐力、ブロック５同士の高い接合力、そしてまた耐震壁１としての高い強度とを確保することができる。また、封止ブロックとして、八角形ブロック５の斜辺ｗの長さに合致する長さの斜辺ｔｗと、八角形ブロック５の縦辺ｙや横辺ｘの長さに合致する長さの頂辺ｔｘｙを備える等脚台形状ブロック６を用いるようにしたので、開口部分４周りに配列した当該等脚台形状ブロック６を定規として容易かつ円滑に八角形ブロック５を積み上げていくことができる。
【００２８】
さらに、ブロック５〜７を高靭性かつ高強度の繊維補強セメントや繊維補強モルタル、繊維補強コンクリートで形成するようにしたので、同程度の強度のブロックを普通コンクリートなどで製造する場合に比べて軽量化できるとともに、ブロック５〜７自体、そしてまた耐震壁１の強度をさらに高く確保できて、無筋の耐震壁１とすることができ、これにより施工性も向上することができる。さらに、第１実施形態にあっては、最も大きな八角形ブロック５の外形寸法が５００ｍｍ程度とされるので、既設の建物での耐震壁１の増設の場合など、狭い空間での施工であっても、適切かつ円滑に耐震壁１を構築することができる。
【００２９】
また、八角形ブロック５については、力の伝達作用を有利に確保する面から言えば、外形輪郭を正八角形として斜辺ｗを４５°に設定することが好ましい。また、縦辺ｙと横辺ｘの長さを異ならせることで、デザイン的に開口Ｓの形態を変更することができる。また、第１実施形態にあっては、開口部分４の隅角部に三角形状ブロック７を配置する場合を例示して説明したが、三角形状ブロック７は必要に応じて設ければよい。三角形状ブロック７を設ければ、構造強度上有利になる一方で、省略した場合には、その部分も採光・通風に利用することができる。
【００３０】
図４には、本発明にかかる耐震壁１の第２実施形態が示されている。この第２実施形態は、八角形ブロック５の中央部に孔８を形成するようにした点の他は、上記第１実施形態と同様である。八角形ブロック５の斜辺ｗ同士を接合して構築した耐震壁１の各八角形ブロック５には、斜辺ｗと直交する向きに力が伝達される。この力の伝達形態を検討すると、八角形ブロック５の厚さが一定である場合、八角形ブロック５の中央部には構造強度的に充分な余裕がある。そこで当該第２実施形態にあっては、八角形ブロック５の中央部に孔８を形成するようにしている。これにより、さらに採光・通風性能を向上できるとともに、八角形ブロック５の軽量化および材料量の低減によるコストダウンを達成することができる。このような第２実施形態にあっても、上記第１実施形態と同様に施工でき、同様な作用・効果を奏することはもちろんである。
【００３１】
図５〜図７には、本発明にかかる耐震壁１の第３実施形態が示されている。この第３実施形態は、八角形ブロック５の中央部５ａを薄肉に形成するとともに、中央部５ａを取り囲む外周部５ｂを厚肉に形成するようにした点の他は、上記第１実施形態と同様である。上記第２実施形態では、八角形ブロック５に孔８を形成するものの、当該ブロック５の厚さとしては相当に厚みのあるものとなる。
【００３２】
この第３実施形態は、八角形ブロック５の必要強度を確保しつつその厚さを比較的薄くできるようにしたものである。中央部５ａをウエブのように、そしてまた外周部５ｂをフランジのように形成することによって、八角形ブロック５全体としての厚みのボリュームを低減しつつ、高い構造強度を確保することができる。これにより、採光・通風性能は上記第１実施形態相当である一方で、上記第２実施形態に比べて、八角形ブロック５の軽量化および材料量の低減によるコストダウンをさらに向上することができる。このような第３実施形態にあっても、上記第１実施形態と同様に施工でき、同様な作用・効果を奏することはもちろんである。
【００３３】
図８には、本発明にかかる耐震壁１の第４実施形態が示されている。第１から第３実施形態にあっては、八角形ブロック５を直接開口部分４の柱面２ａや梁面３ａに接合できる場合を例示して説明したが、開口部分４と八角形ブロック５の寸法関係によっては、八角形ブロック５を直接柱面２ａや梁面３ａに当てることができない場合がある。第４実施形態にあっては、八角形ブロック５の納まり代を調整することが可能な封止ブロック９〜１２を用いた耐震壁１が示されていて、八角形ブロック５は、これら封止ブロック９〜１２を介して柱面２ａおよび梁面３ａに接合される。図示例にあっては、開口部分４の左上隅部の納まりに、上記三角形状ブロック７の底角部分から、納まり代分の厚さであってかつ八角形ブロック５の縦辺ｙおよび横辺ｘの１／２程度の長さで、脚部９ａが突出形成された第１封止ブロック９が用いられている。この第１封止ブロック９の配設に応じて、当該第１封止ブロック９の下方向および右方向には柱面２ａおよび梁面３ａに並べて、等脚台形状ブロック６の底辺部分に、納まり代分の厚さであって、かつその両側から八角形ブロックの縦辺ｙおよび横辺ｘの１／２程度の長さで、台座部１０ａが突出形成された第２封止ブロック１０が示されている。他方、開口部分４の右上隅部の納まりについては、第３封止ブロック１１と第４封止ブロック１２が組み合わされ、これらと八角形ブロック５との間には開口Ｓも形成されている。右上隅部上縁に沿う第３封止ブロック１１は、第２封止ブロック１０とほぼ同形態であって、柱面２ａに当接される右側の突出部分の突出寸法のみが、直下の八角形ブロック５の縦辺ｘと柱面２ａとの間の納まり代の寸法に設定される。他方、第４封止ブロック１２は、第２封止ブロック１０を基にして、柱面２ａと第３封止ブロック１１との間に納まる外形形態で形成される。このような納まり代を備えた封止ブロック９〜１２を用いることで、八角形ブロック５を直接柱面２ａや梁面３ａに当てることができない場合であっても、これら封止ブロック９〜１２を介して八角形ブロック５を柱面２ａや梁面３ａに接合することができる。これら封止ブロック９〜１２も、柱面２ａや梁面３ａに接着材で接合され、また八角形ブロック５もこれら封止ブロック９〜１２に対し、接着材で接合される。このような第４実施形態にあっても、上記第１実施形態と同様に施工でき、同様な作用・効果を奏することはもちろんである。
【００３４】
図９および図１０には、第３実施形態で示した八角形ブロック５やこれに適用される等脚台形状ブロック６の変形例が示されている。図９（ａ）は八角形ブロック５の正面図、図９（ｂ）は図９（ａ）中、Ｂ−Ｂ線矢視断面図、図１０（ａ）は等脚台形状ブロック６の正面図、図１０（ｂ）は図１０（ａ）中、Ｃ−Ｃ線矢視断面図である。図示するように、八角形ブロック５の互いに相対向する斜辺ｗには、当該斜辺ｗの長さ方向に沿って、接合突起１３および接合溝１４が形成されている。また、等脚台形状ブロック６の斜辺ｔｗには、当該斜辺ｔｗの長さ方向に沿って、接合突起１３が形成されている。接合突起１３に、接合溝１４を嵌合することで、隣接する八角形ブロック５同士や隣接する八角形ブロック５と等脚台形状ブロック６とを機械的に接合することができる。これにより、ブロック５，６が耐震壁１の面外方向へ移動することを阻止することができ、構造的に補強することができる。また、ブロック５，６同士を接着材で接合する際に、一方のブロック５，６が他のブロック５，６上で自由に滑ってしまうことを防止でき、これにより施工性を向上することができる。このような接合突起１３や接合溝１４は、第１および第２実施形態の八角形ブロック５や等脚台形状ブロック６、並びに第４実施形態の八角形ブロック５や封止ブロック９〜１２にも適用できることはもちろんである。
【図面の簡単な説明】
【００３５】
【図１】本発明にかかる耐震壁およびその構築方法の第１実施形態を示す柱・梁架構の開口部分の正面図である。
【図２】図１の耐震壁およびその構築方法に用いられる八角形ブロックを示す正面図である。
【図３】図１の耐震壁およびその構築方法に用いられる等脚台形状ブロックを示す正面図である。
【図４】本発明にかかる耐震壁およびその構築方法の第２実施形態を示す柱・梁架構の開口部分の正面図である。
【図５】本発明にかかる耐震壁およびその構築方法の第３実施形態を示す柱・梁架構の開口部分の正面図である。
【図６】図５の耐震壁およびその構築方法に用いられる八角形ブロックを示す正面図である。
【図７】図６中、Ａ−Ａ線矢視断面図である。
【図８】本発明にかかる耐震壁およびその構築方法の第４実施形態を示す柱・梁架構の開口部分の部分正面図である。
【図９】図６および図７に示した八角形ブロックの変形例を説明するための説明図である。
【図１０】図３に示した等脚台形状ブロックの変形例を説明するための説明図である。
【符号の説明】
【００３６】
１  耐震壁
２  柱
３  梁
４  開口部分
５  プレキャストコンクリート製八角形ブロック
５ａ  八角形ブロックの中央部
５ｂ  八角形ブロックの外周部
６  プレキャストコンクリート製等脚台形状ブロック
７  プレキャストコンクリート製三角形状ブロック
８  孔
ｔｘｙ  等脚台形状ブロックの頂辺
ｗ  八角形ブロックの斜辺
ｘ  八角形ブロックの横辺
ｙ  八角形ブロックの縦辺
Ｓ  開口
【図１】
0004699185.tif 000002
【図２】
0004699185.tif 000003
【図３】
0004699185.tif 000004
【図４】
0004699185.tif 000005
【図５】
0004699185.tif 000006
【図６】
0004699185.tif 000007
【図７】
0004699185.tif 000008
【図８】
0004699185.tif 000009
【図９】
0004699185.tif 000010
【図１０】
0004699185.tif 000011